(57)【特許請求の範囲】
【請求項１】
庇、又は屋根を形成する建築構造体であって、
前記建築構造体は板材と、板材同士を連結する連結部材とを含み、
前記板材はｘｙ座標系において広がりを持った平面視矩形状の中空の部材であり、ｘ軸方向の両端部に前記連結部材を嵌合するための結合部を備え、
前記結合部は、略Ｃ型チャンネル状であり、該結合部の上部と下部の内壁に前記連結部材を嵌合する複数の凸条がｙ軸方向に設けられ、
前記連結部材は平面視矩形状で、ｘ軸方向に幅を有し、ｙ軸方向に延伸する中空の部材であり、上面中央部にｙ軸方向に沿って延設された凹部と、パッキン取り付け溝を備え、前記結合部の上下の凸条間に狭着されて、前記板材をｘ軸方向に連結し、
前記パッキン取り付け溝には前記連結部材と嵌合するパッキンが取り付けられている
ことを特徴とする建築構造体。
【請求項２】
前記板材及び前記連結部材の材料が、アルミ、アルミ合金、合成樹脂、木材、あるいはそれらの組み合わせであることを特徴とする、請求項１に記載の建築構造体。
【請求項３】
前記板材が、ｙ軸方向に沿って前記上下の板材をｚ軸方向に結合するリブを備えていることを特徴とする、請求項１又は２に記載の建築構造体。
【請求項４】
前記連結部材が、ｙ軸方向に沿ったリブを備えていることを特徴とする、請求項１乃至３のいずれか１項に記載の建築構造体。
【請求項５】
前記板材のリブにビス止め穴が設けられていることを特徴とする、請求項１乃至４のいずれか１項に記載の建築構造体。
【請求項６】
前記板材の表面に凹凸が設けられていることを特徴とする、請求項１乃至５のいずれか１項に記載の建築構造体。
【発明の詳細な説明】
【技術分野】
【０００１】
本発明は建築構造体に関するものであり、より詳しくは、板材と連結部材からなる建築構造体であって、板材の端部の構造を簡素化でき、且つ板材の結合部の強度が高く、建物の外壁面より前方へ張り出すように設けられる庇だけでなく屋根も形成することができる建築構造体に関する。
この明細書において、建築構造体とは、庇材、屋根材、天井材、壁材等をいう。
【背景技術】
【０００２】
従来、複数の金属製の板材を連結することにより構成される、建物の外壁面より前方へ張り出すように設けられる庇が広く使用されている（例えば、特許文献１参照）。
【０００３】
特許文献１には、複数の板材を幅方向へ連結して庇板を形成することにより、張出し長さを自在に設定できかつ強度に優れ、作業者ひとりで容易に施工できる庇が開示されている。
特許文献１に開示されている庇は、側板材の内側端面に中間板材の側端面を突き合わせつつ係合部を互いに係合することで板材同士を連結するが、連結部材を使用しないため、板材の係合部の構造が複雑になり、歩留まりが悪くなる。さらに、係合部が薄い板状であるため、中間板材同士、あるいは中間板材と側板材との連結部が脆く、連結部に力が加わることで係合部が壊れ、庇が崩れてしまう虞がある。
さらに、特許文献１に記載の庇は、建物の外壁面より前方へ張り出すように設けられる庇であり、屋根等のその他の構造体を形成することができない。
【０００４】
特許文献２には、中間型材を複数本結合させて構成される建物用庇が開示されている。
特許文献２に開示されている建物用庇の中間型材は、中間型材の側部に設けられた係合部同士を係合させた後、係合時に形成される孔部にピンを差し込むことで連結される。このように、連結部の補強部材としてピンを使用しているが、係合部の構造は複雑であり、歩留まりが悪くなる。また、係合部自体の構造は薄い板状であるため、ピンによる補強のみでは不十分であり、中間型材同士、あるいは中間型材と端部型材との連結部が脆く、連結部に力が加わることで係合部が壊れ、庇が崩れてしまう虞がある。
さらに、特許文献２に記載の建物用庇は、建物の外壁面より前方へ張り出すように設けられる庇であり、屋根等のその他の構造体を形成することができない。
【先行技術文献】
【特許文献】
【０００５】
【特許文献１】特許第３８５４６２６号
【特許文献２】特許第４９１６５０２号
【発明の概要】
【発明が解決しようとする課題】
【０００６】
本発明は、上記したような従来技術の問題点を解決すべくなされたものであって、板材と連結部材からなる建築構造体であって、板材の端部の構造を簡素化でき、且つ板材の結合部の強度が高く、建物の外壁面より前方へ張り出すように設けられる庇だけでなく屋根も形成することができる、建築構造体を提供することを目的とする。
【課題を解決するための手段】
【０００７】
請求項１に係る発明は、庇、又は屋根を形成する建築構造体であって、前記建築構造体は板材と、板材同士を連結する連結部材とを含み、前記板材はｘｙ座標系において広がりを持った平面視矩形状の中空の部材であり、ｘ軸方向の両端部に前記連結部材を嵌合するための結合部を備え、前記結合部は、略Ｃ型チャンネル状であり、該結合部の上部と下部の内壁に前記連結部材を嵌合する複数の凸条がｙ軸方向に設けられ、前記連結部材は平面視矩形状で、ｘ軸方向に幅を有し、ｙ軸方向に延伸する中空の部材であり、上面中央部にｙ軸方向に沿って延設された凹部と、パッキン取り付け溝を備え、前記結合部の上下の凸条間に狭着されて、前記板材をｘ軸方向に連結し、前記パッキン取り付け溝には前記連結部材と嵌合するパッキンが取り付けられていることを特徴とする建築構造体に関する。
【０００８】
請求項２に係る発明は、前記板材及び前記連結部材の材料が、アルミ、アルミ合金、合成樹脂、木材、あるいはそれらの組み合わせであることを特徴とする、請求項１に記載の建築構造体に関する。
【０００９】
請求項３に係る発明は、前記板材が、ｙ軸方向に沿って前記上下の板材をｚ軸方向に結合するリブを備えていることを特徴とする、請求項１又は２に記載の建築構造体に関する。
【００１０】
請求項４に係る発明は、前記連結部材が、ｙ軸方向に沿ったリブを備えていることを特徴とする、請求項１乃至３のいずれか１項に記載の建築構造体に関する。
【００１１】
請求項５に係る発明は、前記板材のリブにビス止め穴が設けられていることを特徴とする、請求項１乃至４のいずれか１項に記載の建築構造体に関する。
【００１２】
請求項６に係る発明は、前記板材の表面に凹凸が設けられていることを特徴とする、請求項１乃至５のいずれか１項に記載の建築構造体に関する。
【発明の効果】
【００１３】
請求項１に係る発明によれば、建築構造体が板材と、板材同士を連結する連結部材とを含み、板材がｘｙ座標系において広がりを持った平面視矩形状の中空の部材であり、ｘ軸方向の両端部に連結部材を嵌合するための結合部を備え、結合部が、略Ｃ型チャンネル状であり、結合部の上部と下部の内壁に連結部材を嵌合する複数の凸条がｙ軸方向に設けられ、連結部材は平面視矩形状で、ｘ軸方向に幅を有し、ｙ軸方向に延伸する中空の部材であり、上面中央部にｙ軸方向に沿って延設された凹部と、パッキン取り付け溝を備え、結合部の上下の凸条間に狭着されて、板材をｘ軸方向に連結し、パッキン取り付け溝には連結部材と嵌合するパッキンが取り付けられているため、板材の端部（結合部）の構造を簡素化しつつ、連結部材と板材を強固に嵌め合わせることができ、板材同士を強固に連結することができ、建物の外壁面より前方へ張り出すように設けられる庇だけでなく屋根も形成することができる建築構造体を提供できる。
加えて、連結部材のパッキン取り付け溝にパッキンを取り付けることで、連結部材と板材をより強固に嵌め合わせることができ、建築構造体への雨水等の浸入を防ぐことができる。
【００１４】
請求項２に係る発明によれば、板材及び連結部材の材料が、アルミ、アルミ合金、合成樹脂、木材、あるいはそれらの組み合わせであるため、強度が高く、軽量な建築構造体を提供できる。
【００１５】
請求項３に係る発明によれば、板材がｙ軸方向に沿って上下の板材をｚ軸方向に結合するリブを備えているため、板材の軽量化を図りつつ板材の強度を高めることができる。
【００１６】
請求項４に係る発明によれば、連結部材がｙ軸方向に沿ったリブを備えているため、連結部材の軽量化を図りつつ連結部材の強度を高めることができる。
【００１７】
請求項５に係る発明によれば、板材のリブにビス止め穴が設けられているため、ビスを用いて板材に軒先、軒樋等のカバー材や化粧材を容易に取り付けることができる。
【００１８】
請求項６に係る発明によれば、板材の表面に凹凸が設けられているため、板材同士の繋ぎ目（結合部）を見え難くすることができ、建築構造体の意匠が損なわれない。
【図面の簡単な説明】
【００１９】
【図１】本発明に係る建築構造体の概略斜視図である。
【図２】本発明に係る板材と連結部材の概略斜視図である。
【図３】本発明に係る板材の正面図である。
【図４】本発明に係る連結部材の正面図である。
【図５】本発明に係る建築構造体によって形成された庇の一例を示す図である。
【図６】本発明に係る建築構造体によって形成された屋根の一例を示す図である。
【発明を実施するための形態】
【００２０】
以下、本発明に係る建築構造体の好適な実施形態について、図面を参照しながら説明する。
図１は本発明に係る建築構造体の概略斜視図、図２は本発明に係る板材と連結部材の概略斜視図、図３は本発明に係る板材の正面図、図４は本発明に係る連結部材の正面図である。
【００２１】
本発明に係る建築構造体（１）は、板材（２）と連結部材（３）から構成される（図１、図２参照）。
【００２２】
板材（２）は、ｘｙ座標系において広がりを持った平面視矩形状の中空の部材であり、ｙ軸方向（Ｙ）に沿って上下の板材をｚ軸方向（Ｚ）に結合するリブ（４）と、ｘ軸方向（Ｘ）の両端部に連結部材（３）を嵌合するための結合部（５）と、ビス止め穴（６）を備えている（図１−図３参照）。
尚、板材（２）の平面視の形状は、ｙ軸方向（Ｙ）よりもｘ軸方向（Ｘ）の方が長い矩形状あるいはｘ軸方向（Ｘ）よりもｙ軸方向（Ｙ）の方が長い矩形状であってもよく、正方形状でもよい。
【００２３】
板材（２）には、板材（２）の強度を高めるためにリブ（４）を設けることが望ましい。リブ（４）はｙ軸方向（Ｙ）に沿って上下の板材（２）をｚ軸方向（Ｚ）に結合するように設けることが望ましいが、例えば、ｘ軸方向（Ｘ）に沿って上下の板材（２）をｚ軸方向（Ｚ）に結合するように設けてもよい。
隣り合うリブ（４）間の距離は、板材（２）の強度を十分に高めるために３０−６０ｍｍが好ましいが、これに限定されず、３０ｍｍ未満であっても、６０ｍｍを超えてもよい。リブ（４）の厚みは、板材（２）の強度と軽量化を両立するという観点から、１．０ｍｍから３．０ｍｍが好ましいが、これに限定されず、１．０ｍｍ未満であっても、３．０ｍｍを超えてもよい。
【００２４】
リブ（４）には、ビス止め穴（６）が設けられている。ビス止め穴（６）は、軒先、軒樋等のカバー材や化粧材を、直接板材（２）に取り付ける際、あるいは下地材を介して取り付ける際に、これらを板材（２）に固定するために使用されるビスのビス止めとして設けられている。
ビス止め穴（６）は、板材（２）の全てのリブ（４）に設けてもよく、実際にビスが打ち込まれる位置にあるリブ（４）にだけ設けてもよい。
また、ビス止め穴（６）の穴径に規定はなく、打ち込むビスの外径に合わせて適宜変更することが望ましい。
【００２５】
板材（２）の結合部（５）は、略Ｃ型チャンネル状であり、結合部（５）の上部と下部の内壁に連結部材（３）を挟持するための複数の凸条（７）がｙ軸方向（Ｙ）に設けられている。
凸条（７）は、結合部（５）の構造を簡素化し、板材（２）を軽量化し、且つ連結部材（３）を強固に嵌め合わせるために、図３に示すような正面視略矩形状が望ましいが、これに限定されず、凸条（７）にアールを設ける、あるいは凸条（７）を設けずに結合部（５）の上下方向の内壁全体を厚くしてもよい。
また、連結部材（３）と結合部（５）をより強固に嵌め合わせるために、結合部（５）にパッキンを設けてもよい。パッキンの材質は、天然ゴム、人造ゴム、皮革、プラスチック、木綿、ガラス繊維、木材等の単独あるいはそれらを二種以上組み合わせたものなど、パッキンとして通常使用されるものであればいかなるものでもよい。
【００２６】
凸条（７）の寸法は、連結部材（３）を狭持することができる寸法であることが望ましい。より具体的には、結合部（５）の上部と下部の内壁に設けられた凸条（７）間のｚ軸（Ｚ）方向の間隙の幅が、連結部材（３）のｚ軸方向（Ｚ）の幅よりも０．１ｍｍ〜０．５ｍｍ程度大きいことが望ましいが、これに限定されず、連結部材（３）を狭持することができるものであればいかなる幅であってもよい。
連結部材（３）と板材（２）の結合部（５）が強固に嵌め合わされることにより、板材（２）をｘ軸方向（Ｘ）に強固に連結することができる。
【００２７】
連結部材（３）は、平面視矩形状で、ｘ軸方向に幅を有し、ｙ軸方向に延伸する中空の部材であり、ｙ軸方向（Ｙ）に沿ったリブ（８）と、上面中央部にｙ軸方向（Ｙ）に沿って延設された凹部（９）と、パッキン取り付け溝（１０）と、パッキン取り付け溝（１０）に取り付けられたパッキン（１１）を備えている（図１、図２、図４参照）。
連結部材（３）のｘ軸方向（Ｘ）の幅は、連結部材（３）を用いて板材（２）をｘ軸方向（Ｘ）に連結した際に、板材（２）の結合部（５）間に隙間ができない幅であることが好ましい。
連結部材（３）のｙ軸方向（Ｙ）の長さは、板材（２）の連結強度の観点から、連結する板材（２）のｙ軸方向（Ｙ）の長さと同一であることが好ましいが、これに限定されず、板材（２）の連結強度を高く保てる長さであれば、連結する板材（２）のｙ軸方向（Ｙ）の長さより短くてもよい。
【００２８】
リブ（８）は、連結部材（３）の強度を高めるために、図４に示すように、ｙ軸方向（Ｙ）に沿って、ｘ軸方向（Ｘ）の幅中央に設けられることが好ましいが、これに限定されず、リブ（８）を複数個設けてもよく、ｘ軸方向（Ｘ）に沿って設けてもよい。
リブ（８）の厚みは、連結部材（３）の強度と軽量化を両立するという観点から、１．０ｍｍから３．０ｍｍが好ましいが、これに限定されず、１．０ｍｍ未満であっても、３．０ｍｍを超えてもよい。
【００２９】
凹部（９）は、ｘ軸方向（Ｘ）の幅中央部にパッキン取り付け溝（１０）を備えている。パッキン取り付け溝（１０）は、ｙ軸方向（Ｙ）に沿って延設されており、溝にパッキン（１１）を取り付けることができる。パッキン取り付け溝（１０）にパッキン（１１）を取り付けた連結部材（３）を用いて板材（２）を連結することで、板材（２）の結合部（５）と連結部材（３）の嵌め合いがより強固になり、雨水等の液体が建築構造体（１）内部に侵入することを防止できる。
【００３０】
パッキン（１１）は、雨水等の液体が建築構造体（１）内部に侵入することを防止するために、ｙ軸方向（Ｙ）の長さが、連結する板材（２）のｙ軸方向（Ｙ）の長さと同一であることが好ましい。しかし、これに限定されず、雨水等の液体が建築構造体（１）内部に侵入することを防止できる長さであれば、連結する板材（２）のｙ軸方向（Ｙ）の長さよりも短くてもよい。
パッキン（１１）の材質は、天然ゴム、人造ゴム、皮革、プラスチック、木綿、ガラス繊維、木材等の単独あるいはそれらを二種以上組み合わせたものなど、パッキンとして通常使用されるものであればいかなるものでもよい。
【００３１】
板材（２）の表面に凹凸を設けることで、板材（２）同士の繋ぎ目（結合部）を見え難くすることができ、建築構造体の美観（意匠性）が損なわれない。尚、板材（２）同士の繋ぎ目（結合部）を見え難くすることができるものであれば、凹凸の高低差や幅はいかなるものであってもよい。
【００３２】
板材（２）及び連結部材（３）の材質は、重量や強度の観点から、アルミニウムあるいはアルミニウム合金が好ましいが、これに限定されず、耐候性と機械強度を備えた合成樹脂や木材等でもよく、庇や屋根等の建築構造体として通常使用される材質であればいかなるものでもよい。また、板材（２）及び連結部材（３）は、板材（２）の上面がアルミニウムで、下面が木材である等、アルミニウム、アルミニウム合金、合成樹脂、あるいは木材等を二種以上組み合わせたものであってもよい。
【実施例】
【００３３】
以下、本発明に係る建築構造体を使用した庇及び屋根について、実施例によってさらに詳細に説明する。しかし、本発明は実施例に限定されるものではない。本発明に係る建築構造体は、庇及び屋根以外にも、壁等の様々な建築物の形成に用いることができる。
【００３４】
＜建築構造体を用いた庇＞
図５は、本発明に係る建築構造体（１）を使用した庇の一例を示す図である。
建築構造体（１）は、図１に示すように、板材（２）同士を、連結部材（３）を用いてｘ軸方向に連結したものである。
ｘ軸方向の最も端に設置された板材（２）の建築構造体（１）の外側の結合部（５）には、サイドカバー等の側端部材（１３）が取り付けられる。側端部材（１３）は、サイドカバー、化粧材、化粧縁等の、庇の側端部材として通常使用されるものであればいかなるものでもよい。側端部材（１３）の取り付け方法は、特に限定されないが、例えば、ビス等を用いて側端部材（１３）と板材（２）の結合部（５）の上部を固定する等、庇の側端部材を固定するために通常使用されるものであればいかなる方法を用いてもよい。
建築構造体（１）のｙ軸方向（Ｙ）の建造物の外側の末端には、軒先水切りや軒樋等の先端部材（１４）が取り付けられる。先端部材（１４）は、直接あるいは下地材を介して、ビス等を使用して建築構造体（１）に取り付けられる。取り付けに使用するビスはビス止め穴（６）に嵌め込まれる。
次に、建築構造体（１）を用いて庇を形成する方法の一例を示す。尚、以下に示す方法は一例であって、これに限定されるものではなく、庇の形成に当業者が通常採用しようとする方法はいかなる方法も適応可能である。
まず、庇を形成する箇所の軒側（壁側）に保持具（図示せず）を固定し、設置された保持具に板材（２）のｙ軸方向（Ｙ）の一端を固定する。尚、保持具は、庇を形成するために当業者が通常採用しようとする保持具であれば、いかなるものを使用してもよい。
次に、保持具に固定した板材（２）の結合部（５）に連結部材（３）を嵌める。
続けて、別の板材（２）を、前記連結部材（３）と嵌め合わせ、保持具に固定した板材（２）とｘ軸方向（Ｘ）に隣接させて保持具に固定する。このように板材（２）を連結することで、建築構造体（１）を形成する。
建築構造体（１）が所望の幅になるまで、この板材（２）の連結を繰り返す。
建築構造体（１）が所望の幅となったら、側端部材（１３）と先端部材（１４）を建築構造体（１）に連結し、庇が形成される。
この組み立て方法では、板材（２）を１つずつ連結していくため、重機を使用せずに作業者だけで庇を組み立てることができる。
尚、重機を使用して庇を形成する場合は、先に板材（２）と連結部材（３）と側端部材（１３）と先端部材（１４）を連結させて形成した建築構造体（１）を、重機を使用して持ち上げ、保持具に固定し、庇を形成してもよい。
尚、側端部材（１３）と先端部材（１４）は、板材（２）と直接的又は間接的に連結して建築構造体（１）を形成できるものであれば、いかなるものを用いてもよい。
【００３５】
＜建築構造体を用いた屋根＞
図６は、本発明に係る建築構造体（１）を用いて形成した屋根（１５）の一例を示す図である。
建築構造体（１）は、図１に示すように、板材（２）同士を、連結部材（３）を用いてｘ軸方向に連結したものである。
ｘ軸方向の最も端に設置された板材（２）の建築構造体（１）の外側の結合部（５）には、サイドカバー等の側端部材（１６）が取り付けられる。側端部材（１６）は、化粧材、化粧縁等の、屋根の側端部材として通常使用されるものであればいかなるものでもよい。側端部材（１６）の取り付け方法は、特に限定されないが、例えば、ビス等を用いて側端部材（１６）と板材（２）の結合部（５）の上部を固定する等、屋根の側端部材を固定するために通常使用されるものであればいかなる方法を用いてもよい。
建築構造体（１）のｙ軸方向（Ｙ）の末端には、軒先水切りや軒樋等の先端部材（１７）が取り付けられる。先端部材（１７）は、直接あるいは下地材を介して、ビス等を使用して建築構造体（１）に取り付けられる。取り付けに使用するビスはビス止め穴（６）に嵌め込まれる。
次に、建築構造体（１）を用いて屋根を形成する方法の一例を示す。尚、以下に示す方法は一例であって、これに限定されるものではなく、屋根の形成に当業者が通常採用しようとする方法はいかなる方法も適応可能である。
まず、当業者が通常採用しようとする方法のいずれかを用いて予め設置した柱に保持具（図示せず）を固定し、設置された保持具に板材（２）のｙ軸方向（Ｙ）の一端又は両端を固定する。尚、保持具は、屋根を形成するために当業者が通常採用しようとする保持具であれば、いかなるものを使用してもよい。
次に、保持具に固定した板材（２）の結合部（５）に連結部材（３）を嵌める。
続けて、別の板材（２）を、前記連結部材（３）と嵌め合わせ、保持具に固定した板材（２）とｘ軸方向（Ｘ）に隣接させて保持具に固定する。このように板材（２）を連結することで、建築構造体（１）を形成する。
建築構造体（１）が所望の幅になるまで、この板材（２）の連結を繰り返す。
建築構造体（１）が所望の幅となったら、側端部材（１６）と先端部材（１７）を建築構造体（１）に連結し、屋根が形成される。
この組み立て方法では、板材（２）を１つずつ連結していくため、重機を使用せずに作業者だけで屋根を組み立てることができる。
尚、重機を使用して屋根を形成する場合は、先に板材（２）と連結部材（３）と側端部材（１６）と先端部材（１７）を連結させて形成した建築構造体（１）を、重機を使用して持ち上げ、保持具に固定し、屋根を形成してもよい。
尚、側端部材（１６）と先端部材（１７）は、板材（２）と直接的又は間接的に連結して建築構造体（１）を形成できるものであれば、いかなるものを用いてもよい。
【００３６】
本発明に係る建築構造体（１）は、連結部材（３）を用いて強固に嵌め合わせることで板材（２）を連結するため、板材（２）の連結部分の機械的強度が非常に強固なものとなる。そのため、本発明に係る建築構造体（１）は、従来の庇に用いられてきた板材と連結部材からなる構造体では形成することができなかった屋根を形成することができる。
【産業上の利用可能性】
【００３７】
本発明に係る建築構造体は、板材と連結部材からなり、板材の端部の構造を簡素化でき、且つ板材の結合部の強度が高いため、庇や屋根を形成するための建築構造体として好適に使用される。
【符号の説明】
【００３８】
１      建築構造体
２      板材
３      連結部材
４      リブ（板材）
５      結合部
６      ビス止め穴
７      凸条
８      リブ（連結部材）
９      凹部
１０    パッキン取り付け溝
１１    パッキン
１２    庇
１３    側端部材（庇）
１４    先端部材（庇）
１５    屋根
１６    側端部材（屋根）
１７    先端部材（屋根）
Ｘ      ｘ軸方向
Ｙ      ｙ軸方向
Ｚ      ｚ軸方向
【要約】
【課題】板材と連結部材からなる建築構造体であって、板材の端部の構造を簡素化でき、且つ板材の結合部の強度が高く、建物の外壁面より前方へ張り出すように設けられる庇だけでなく屋根も形成することができる建築構造体を提供すること。
【解決手段】板材と、板材同士を連結する連結部材とを含み、板材はｘｙ座標系において広がりを持った平面視矩形状の中空の部材であり、ｘ軸方向の両端部に結合部を備え、結合部は略Ｃ型チャンネル状であり、結合部の上部と下部の内壁に複数の凸条が設けられ、連結部材は平面視矩形状で、ｘ軸方向に幅を有し、ｙ軸方向に延伸する中空の部材であり、上面中央部にｙ軸方向に沿って延設された凹部と、パッキン取り付け溝を備え、結合部の上下の凸条間に狭着されて、板材をｘ軸方向に連結し、パッキン取り付け溝にはパッキンが取り付けられていることを特徴とする建築構造体とする。
【選択図】図１【図１】
0006051331.tif 000002
【図２】
0006051331.tif 000003
【図３】
0006051331.tif 000004
【図４】
0006051331.tif 000005
【図５】
0006051331.tif 000006
【図６】
0006051331.tif 000007